(57)【要約】【課題】従来の着物用ハンガーは、コンパクトに収納できない事やハンガーに掛けて収納していた際に袖や襟ぐり部分に皺が寄ってしまう問題点があった。それは、着物事態が繊細な物であり、従来の着物用ハンガーは襟ぐりを二つ折りして吊るしたり、袖部分の支えが無いまま吊るしたりする為である。【解決手段】着物の袖部を袖支持部材（２）により支持し、袖付け部分で折り畳むようにした事で袖に皺が寄る事を防ぐことが出来る。また、襟ぐりを二つ折りにせずに吊るし、着物用ハンガー（１）に設けた凸部（７）により襟ぐり部分を伸張状態に保持することで襟ぐり部分に皺が寄る事を防止する事ができる。【選択図】図１
2018038772.tif 000002
【特許請求の範囲】
【請求項１】
着物を手軽にクローゼットに収納する為に袖つけ部分で左右に折り畳みが出来る折り畳み部（５）と着物の袖部を保持する為の袖支持部材（２）を設けた事を特徴とする着物用ハンガー。
【請求項２】
前記袖支持部材（２）の一端に伸縮部材（４）を配置し、該伸縮部材（４）を本体（３）の両端に設けた中空部に挿入し、該伸縮部材（４）を左右に摺動させ、着物の袖つけ部分と前記折り畳み部（５）とを合致させるようにした事を特徴とする請求項１に記載の着物用ハンガー。
【請求項３】
前記本体（３）に着物を掛けた際に、襟ぐり部分に皺が寄ることを防ぐ為に、該本体（３）の中央部に凸部（７）を設けた事を特徴とする請求項１、２に記載の着物用ハンガー。
【請求項４】
前記袖支持部材（２）及び前記伸縮部材（４）の厚みを０．５ｍｍ〜５ｍｍとした事を特徴とする請求項１〜３に記載の着物用ハンガー。
【発明の詳細な説明】
【技術分野】
【０００１】  本発明は、あらかじめ腰揚げをした着物が皺になったり型崩れしたりせず、コンパクトに収納する為の着物用ハンガーに関する。
【背景技術】
【０００２】  特許文献１の着物用ハンガーは着物の身頃の中心部分から後ろに二つ折りしてコンパクトに収納できるというハンガーである。【０００３】  特許文献２の着物用ハンガーは着物の後身頃と前身頃とを人が着た状態と同じ状態にして前面で重ね合わせておく事が出来、後身頃と前身頃とを張って伸ばした状態とする事が出来るのでハンガーに吊るしておいても着物の後身頃や前身頃に皺を生じないという着物用ハンガーである。このハンガーであれば腰揚げをした着物をつるしてもある程度の劣化は軽減できると考えられる。
【先行技術文献】
【特許文献】
【０００４】
【特許文献１】実用新案登録第３１３１６８６号
【特許文献２】特開平９−２８５４４
【発明の概要】
【発明が解決しようとする課題】
【０００５】  特許文献１の着物用ハンガーに、着物を吊るす際には、身頃の中心から後方に二つ折りして吊るすようにしてあるが、襟ぐりも二つ折にするため襟ぐりに皺が寄ってしまうという課題がある。【０００６】  特許文献２の着物用ハンガーは、後身頃と前身頃とを前面で合わせて伸ばした状態で着物を吊るすことが出来るが袖の部分の支えが無いため袖が垂れた状態で吊るすので袖に皺が寄るという課題がある。【０００７】  本発明は、このような従来の着物用ハンガーが有していた課題を解決しようとするものであり、着物をハンガーに掛けた状態でクローゼットに吊るしても、袖や襟ぐりに皺が寄らない着物用ハンガーを提供することを目的とする。
【課題を解決するための手段】
【０００８】  本発明では、このような従来の着物用ハンガーが有していた問題を解決する為に、着物を手軽にクローゼットに収納する為に、袖つけ部分で左右に折り畳みが出来る、折り畳み部と着物の袖部を保持する為の袖支持部材を設けたものである。【０００９】  また、第２の課題解決手段は前記着物用ハンガーにおいて、着物の肩幅の違いに適応できるように袖支持部材の一端に伸縮部材を配置し、該伸縮部材を本体の両端に設けた中空部に挿入し、該伸縮部材を左右に摺動させ、着物の袖つけ部分と前記折り畳み部とを合致させるようにしたものである。【００１０】  また、第３の課題解決手段は、前記着物用ハンガーの本体に着物を掛けた際に、襟ぐり部分に皺が寄ることを防ぐ為に、該本体の中央部に凸部を設けたものである。【００１１】  また、第４の解決手段は、前記着物用ハンガーにおいて袖付け部分で折り畳んだ際に皺が寄ることを防止する為に袖支持部材と伸縮部材の厚みを０．５ｍｍ〜５．５ｍｍとしたものである。
【発明の効果】
【００１２】  上述した通り、本発明の着物用ハンガーは着物をハンガーに掛けたままクローゼットに吊るした状態でも袖や襟ぐり部分に皺が寄らず、且つ着物の着衣、脱衣、収納、保管が容易に行える着物用ハンガーを提供する。
【図面の簡単な説明】
【００１３】
【図１】本発明の着物用ハンガー正面図
【図２】図１に記載の着物用ハンガーの留め具を示すＢ部詳細横面図
【図３】図１に記載の着物用ハンガーの折り畳み具を示すＡ部詳細正面図
【図４】本発明の着物用ハンガー背面図
【図５】図４記載の着物用ハンガーの伸縮部材を示すＣ部詳細正面図
【図６】本発明の着物用ハンガーの折り畳み状態を示す平面図
【図７】本発明の着物用ハンガーの使用状態を示す正面図
【発明を実施するための形態】
【００１４】  以下、本発明の着物用ハンガー（１）の実施形態を図１〜図７に基づいて詳述する。図１は、本発明の着物用ハンガー（１）の正面図であり、本体（３）は平棒状をしており、該本体（３）の両端部には中空部を設けている。符号２は略平棒状をした袖支持部材であり、該袖支持部材（２）の一端側に略平棒状をした伸縮部材（４）を折り畳み具（６）により取り付けている。
【００１５】  前記、本体（３）の左右の中空部に前記伸縮部材（４）を挿入して着物用ハンガー（１）を構成する。該着物用ハンガー（１）に着物を掛けて使用するものであるが、着物の肩幅は、６０ｃｍ〜６５ｃｍと大きさが違うものであり、袖付けの位置も異なるため前記伸縮部材（４）をスライドさせて折り畳み部（５）の位置を袖付けの位置に合わせて袖支持部材（２）を折り畳むようにする。
【００１６】  図２は図１のＢ部詳細横面図である。符号は固定具（８）であり、前記袖支持部材（２）の両端部は本体（３）の中央部で先端部分が重なるようになっており、該重なり部を該固定具（８）によって前記袖支持部材（２）が開かないように固定する。
【００１７】  図３は図１のＡ部詳細正面図であり、折り畳み具（６）を示しており、折り畳み具（６）は実施例では蝶番を使用しているが、折り畳むことが可能な部材であればその限りではない。
【００１８】  図４は本発明の着物用ハンガー（１）の背面図であり、符号７は、略半円柱状をした凸部であり、該着物用ハンガー（１）の中央部に設けてある。着物の襟ぐり部分はハンガーに掛けた際に伸張しておらず皺がよってしまう為、本体（３）の中央部に凸部（７）を設け、着物の襟ぐり部分を伸張状態に保持し皺が寄ることを防止するものである。
【００１９】  図５は図４のＣ部詳細正面図である。前記伸縮部材（４）には長穴（９）を設け、前記本体（３）の中空部の端部には貫通穴を設けている。前記伸縮部材（４）を前記中空部に挿入し前記貫通穴及び長穴（９）に留め具（１０）を挿通すれば、前記伸縮部材（４）を外側にスライドさせても留め具（１０）によって前記伸縮部材（４）が本体（３）から脱落する事がない。
【００２０】  図６は、着物用ハンガー（１）の折り畳み状態を示す平面図であり、前記袖支持部材（２）を折り畳んでいる途中の状態である。
【００２１】  図７は着物用ハンガー（１）に着物を掛けた使用状態を示す図であり、着物の前身頃と後見頃を前記本体（３）に掛け、袖部を袖支持部材（２）に掛けることで袖部をたるまないように支持する。袖付け部で折り畳めば全幅がクローゼットに収納できるサイズになるので着物を掛けた状態で保管でき脱衣、着衣、収納が容易になる。
【符号の説明】
【００２２】    １  着物用ハンガー
２  袖支持部材
３  本体
４  伸縮部材
５  折り畳み部
６  折り畳み具
７  凸部
８  固定具
９  長穴
１０  留め具
【図１】
2018038772.tif 000003
【図２】
2018038772.tif 000004
【図３】
2018038772.tif 000005
【図４】
2018038772.tif 000006
【図５】
2018038772.tif 000007
【図６】
2018038772.tif 000008
【図７】
2018038772.tif 000009
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
着物を手軽にクローゼットに収納する為に袖つけ部分で左右に折り畳みが出来る折り畳み部（５）と着物の袖部を保持する為の袖支持部材（２）を設けたハンガーにおいて、該袖支持部材（２）の一端に伸縮部材（４）を配置し、該伸縮部材（４）を本体（３）の両端に設けた中空部に挿入し、該伸縮部材（４）を左右に摺動させ、着物の袖つけ部分と前記折り畳み部（５）とを合致させるようにした事を特徴とする着物用ハンガー。
【請求項２】
前記本体（３）に着物を掛けた際に、襟ぐり部分に皺が寄ることを防ぐ為に、該本体（３）の中央部に凸部（７）を設けた事を特徴とする請求項１に記載の着物用ハンガー。
【請求項３】
前記袖支持部材（２）及び前記伸縮部材（４）の厚みを０．５ｍｍ〜５ｍｍとした事を特徴とする請求項１、２に記載の着物用ハンガー。
【手続補正２】
【補正対象書類名】明細書
【補正対象項目名】全文
【補正方法】変更
【補正の内容】
【発明の詳細な説明】
【技術分野】
【０００１】  本発明は、あらかじめ腰揚げをした着物が皺になったり型崩れしたりせず、コンパクトに収納する為の着物用ハンガーに関する。
【背景技術】
【０００２】  特許文献１の着物用ハンガーは着物の身頃の中心部分から後ろに二つ折りしてコンパクトに収納できるというハンガーである。【０００３】  特許文献２の着物用ハンガーは着物の後身頃と前身頃とを人が着た状態と同じ状態にして前面で重ね合わせておく事が出来、後身頃と前身頃とを張って伸ばした状態とする事が出来るのでハンガーに吊るしておいても着物の後身頃や前身頃に皺を生じないという着物用ハンガーである。このハンガーであれば腰揚げをした着物をつるしてもある程度の劣化は軽減できると考えられる。
【先行技術文献】
【特許文献】
【０００４】
【特許文献１】実用新案登録第３１３１６８６号
【特許文献２】特開平９−２８５４４
【発明の概要】
【発明が解決しようとする課題】
【０００５】  特許文献１の着物用ハンガーに、着物を吊るす際には、身頃の中心から後方に二つ折りして吊るすようにしてあるが、襟ぐりも二つ折にするため襟ぐりに皺が寄ってしまうという課題がある。【０００６】  特許文献２の着物用ハンガーは、後身頃と前身頃とを前面で合わせて伸ばした状態で着物を吊るすことが出来るが袖の部分の支えが無いため袖が垂れた状態で吊るすので袖に皺が寄るという課題がある。【０００７】  本発明は、このような従来の着物用ハンガーが有していた課題を解決しようとするものであり、着物をハンガーに掛けた状態でクローゼットに吊るしても、袖や襟ぐりに皺が寄らない着物用ハンガーを提供することを目的とする。
【課題を解決するための手段】
【０００８】  本発明では、このような従来の着物用ハンガーが有していた問題を解決する為に、着物を手軽にクローゼットに収納する為に、袖つけ部分で左右に折り畳みが出来る、折り畳み部と着物の袖部を保持する為の袖支持部材を設けたハンガーにおいて、着物の肩幅の違いに適応できるように袖支持部材の一端に伸縮部材を配置し、該伸縮部材を本体の両端に設けた中空部に挿入し、該伸縮部材を左右に摺動させ、着物の袖つけ部分と前記折り畳み部とを合致させるようにしたものである。【０００９】  また、第２の課題解決手段は、前記着物用ハンガーの本体に着物を掛けた際に、襟ぐり部分に皺が寄ることを防ぐ為に、該本体の中央部に凸部を設けたものである。【００１０】  また、第３の解決手段は、前記着物用ハンガーにおいて袖付け部分で折り畳んだ際に皺が寄ることを防止する為に袖支持部材と伸縮部材の厚みを０．５ｍｍ〜５．５ｍｍとしたものである。
【発明の効果】
【００１１】  上述した通り、本発明の着物用ハンガーは着物をハンガーに掛けたままクローゼットに吊るした状態でも袖や襟ぐり部分に皺が寄らず、且つ着物の着衣、脱衣、収納、保管が容易に行える着物用ハンガーを提供する。
【図面の簡単な説明】
【００１２】
【図１】本発明の着物用ハンガー正面図
【図２】図１に記載の着物用ハンガーの留め具を示すＢ部詳細横面図
【図３】図１に記載の着物用ハンガーの折り畳み具を示すＡ部詳細正面図
【図４】本発明の着物用ハンガー背面図
【図５】図４記載の着物用ハンガーの伸縮部材を示すＣ部詳細正面図
【図６】本発明の着物用ハンガーの折り畳み状態を示す平面図
【図７】本発明の着物用ハンガーの使用状態を示す正面図
【発明を実施するための形態】
【００１３】  以下、本発明の着物用ハンガー（１）の実施形態を図１〜図７に基づいて詳述する。図１は、本発明の着物用ハンガー（１）の正面図であり、本体（３）は平棒状をしており、該本体（３）の両端部には中空部を設けている。符号２は略平棒状をした袖支持部材であり、該袖支持部材（２）の一端側に略平棒状をした伸縮部材（４）を折り畳み具（６）により取り付けている。
【００１４】  前記、本体（３）の左右の中空部に前記伸縮部材（４）を挿入して着物用ハンガー（１）を構成する。該着物用ハンガー（１）に着物を掛けて使用するものであるが、着物の肩幅は、６０ｃｍ〜６５ｃｍと大きさが違うものであり、袖付けの位置も異なるため前記伸縮部材（４）をスライドさせて折り畳み部（５）の位置を袖付けの位置に合わせて袖支持部材（２）を折り畳むようにする。
【００１５】  図２は図１のＢ部詳細横面図である。符号は固定具（８）であり、前記袖支持部材（２）の両端部は本体（３）の中央部で先端部分が重なるようになっており、該重なり部を該固定具（８）によって前記袖支持部材（２）が開かないように固定する。
【００１６】  図３は図１のＡ部詳細正面図であり、折り畳み具（６）を示しており、折り畳み具（６）は実施例では蝶番を使用しているが、折り畳むことが可能な部材であればその限りではない。
【００１７】  図４は本発明の着物用ハンガー（１）の背面図であり、符号７は、略半円柱状をした凸部であり、該着物用ハンガー（１）の中央部に設けてある。着物の襟ぐり部分はハンガーに掛けた際に伸張しておらず皺がよってしまう為、本体（３）の中央部に凸部（７）を設け、着物の襟ぐり部分を伸張状態に保持し皺が寄ることを防止するものである。
【００１８】  図５は図４のＣ部詳細正面図である。前記伸縮部材（４）には長穴（９）を設け、前記本体（３）の中空部の端部には貫通穴を設けている。前記伸縮部材（４）を前記中空部に挿入し前記貫通穴及び長穴（９）に留め具（１０）を挿通すれば、前記伸縮部材（４）を外側にスライドさせても留め具（１０）によって前記伸縮部材（４）が本体（３）から脱落する事がない。
【００１９】  図６は、着物用ハンガー（１）の折り畳み状態を示す平面図であり、前記袖支持部材（２）を折り畳んでいる途中の状態である。
【００２０】  図７は着物用ハンガー（１）に着物を掛けた使用状態を示す図であり、着物の前身頃と後見頃を前記本体（３）に掛け、袖部を袖支持部材（２）に掛けることで袖部をたるまないように支持する。袖付け部で折り畳めば全幅がクローゼットに収納できるサイズになるので着物を掛けた状態で保管でき脱衣、着衣、収納が容易になる。
【符号の説明】
【００２１】１  着物用ハンガー
２  袖支持部材
３  本体
４  伸縮部材
５  折り畳み部
６  折り畳み具
７  凸部
８  固定具
９  長穴
１０  留め具